(57)【要約】【課題】制御部の処理能力の低下を最小限に抑え、かつカメラ動作を停止させることなく無線部の受信不良を低減できるカメラ付き携帯電話を提供する。【解決手段】ＣＰＵクロックを分周してカメラ基準クロックを生成する分周部１１と、分周部１１で生成されるカメラ基準クロックを逓倍してカメラ動作クロックを生成するクロック逓倍手段と、無線部４０からのチャンネル情報に基づいてカメラ動作クロックが当該無線チャンネルに妨害を与えるか否かを判定する判定手段を有し、生成されるカメラ動作クロックが当該無線チャンネルに妨害を与えると判定手段が判定した場合は、妨害を与えない周波数のカメラ動作クロックに切り替えて出力するカメラ動作クロック生成・切替部３２を備える。【選択図】図１
2005124093.tif 000002
【特許請求の範囲】
【請求項１】
ＣＰＵクロック生成部で生成されるＣＰＵクロックを分周して、カメラ基準クロックを生成する分周部と、
上記ＣＰＵクロック生成部で生成されるＣＰＵクロックで動作する携帯電話機制御部と、
上記分周部で生成されるカメラ基準クロックを逓倍してカメラ部で使用するカメラ動作クロックを生成するクロック逓倍手段と、
無線部が使用する無線周波数のチャンネル情報に基づいて上記クロック逓倍手段が生成するカメラ動作クロックが当該無線チャンネルに妨害を与えるか否かを判定する判定手段と、
上記クロック逓倍手段で生成するカメラ動作クロックが当該無線チャンネルに妨害を与えないと上記判定手段が判定した場合は、生成されたカメラ動作クロックをそのまま出力し、上記クロック逓倍手段で生成するカメラ動作クロックが当該無線チャンネルに妨害を与えると上記判定手段が判定した場合は、当該無線チャンネルに妨害を与えない周波数のカメラ動作クロックに切り替えて出力するカメラ動作クロック切替手段と、
上記カメラ動作クロック切替手段から出力するカメラ動作クロックによって動作するカメラ部とを備えたことを特徴とするカメラ付き携帯電話機。
【請求項２】
複数周波数のＣＰＵクロックを生成すると共に、いずれか１つのＣＰＵクロックに切り替えて出力するＣＰＵクロック生成・切替部と、
上記ＣＰＵクロック生成・切替部から出力するＣＰＵクロックを分周してカメラ動作クロックを出力する分周部と、
上記ＣＰＵクロック生成・切替部から出力するＣＰＵクロックで動作する携帯電話機制御部と、
無線部が使用する無線周波数のチャンネル情報に基づいて、上記ＣＰＵクロック生成・切替部が生成するから出力するＣＰＵクロックを切り替えると共に、上記分周部から出力するカメラ動作クロックが当該無線チャンネルに妨害を与えないように上記ＣＰＵクロック生成／切替部から出力するＣＰＵクロックの周波数に連動させて上記分周部の分周比を変えてカメラ動作クロックの周波数を変更するカメラ動作クロック変更手段と、
上記カメラ動作クロック変更手段から出力するカメラ動作クロックによって動作するカメラ部とを備えたことを特徴とするカメラ付き携帯電話機。
【発明の詳細な説明】
【技術分野】
【０００１】
本発明は、カメラ付き携帯電話機に係わり、特に、カメラ動作時のクロック信号による無線部の受信不良を防止できるカメラ付き携帯電話機に関する。
【背景技術】
【０００２】
例えば、無線部の使用周波数帯域が１．５ＧＨｚ帯のカメラ付き携帯電話機の場合、無線周波数は１４７７ＭＨｚ〜１５０１ＭＨｚの間において２５ＫＨｚの間隔でチャンネルが割り当てられており、カメラ動作時のクロック信号（カメラ動作クロック）の高調波成分の放射が無線部が使用する無線チャンネル周波数に近く、かつ、その強度が大きい場合には、無線部に妨害を与え、受信不良を起こしていた。
そのため、従来のカメラ付き携帯電話機は、カメラの動作クロックによる無線部の受信不良を低減する目的で、携帯電話機の制御部のＣＰＵクロック周波数を変化して、それに同期したカメラ動作クロックの周波数に変化させていた。
【０００３】
あるいは、特許文献１（特開２００２−２６１８８０号公報）に示されている携帯電話機のように、基地局からの制御信号を間欠受信している場合には、制御信号を受信中はカメラ動作クロックを停止し、カメラからの撮像データの無線部への入力を行わず（即ち、カメラ自体の動作を停止）、基地局からの制御信号を受信していない期間にカメラから撮像データを入力していた。
【特許文献１】特開２００２−２６１８８０号公報（図１、段落００１１）
【発明の開示】
【発明が解決しようとする課題】
【０００４】
従来のカメラ付き携帯電話機では、ＣＰＵクロック周波数を低く変化させると制御部の処理能力が低下する。
また、特許文献１に示された携帯電話機では、制御信号を受信中はカメラ動作が停止するという問題があった。
【０００５】
この発明は上記のような問題点を解消するためになされたもので、携帯電話機制御部の処理能力の低下を最小限に抑えることができると共に、カメラ動作を停止させることなく無線部の受信不良を低減できるカメラ付き携帯電話を得ることを目的とする。
【課題を解決するための手段】
【０００６】
本発明によるカメラ付き携帯電話機は、ＣＰＵクロック生成部で生成されるＣＰＵクロックを分周して、カメラ基準クロックを生成する分周部と、上記ＣＰＵクロック生成部で生成されるＣＰＵクロックで動作する携帯電話機制御部と、上記分周部で生成されるカメラ基準クロックを逓倍してカメラ部で使用するカメラ動作クロックを生成するクロック逓倍手段と、無線部が使用する無線周波数のチャンネル情報に基づいて上記クロック逓倍手段が生成するカメラ動作クロックが当該無線チャンネルに妨害を与えるか否かを判定する判定手段と、上記クロック逓倍手段で生成するカメラ動作クロックが当該無線チャンネルに妨害を与えないと上記判定手段が判定した場合は、生成されたカメラ動作クロックをそのまま出力し、上記クロック逓倍手段で生成するカメラ動作クロックが当該無線チャンネルに妨害を与えると上記判定手段が判定した場合は、当該無線チャンネルに妨害を与えない周波数のカメラ動作クロックに切り替えて出力するカメラ動作クロック切替部と、上記カメラ動作クロック切替部から出力するカメラ動作クロックによって動作するカメラ部とを備えたものである。
【０００７】
また、本発明によるカメラ付き携帯電話機は、複数周波数のＣＰＵクロックを生成すると共に、いずれか１つのＣＰＵクロックに切り替えて出力するＣＰＵクロック生成・切替部と、上記ＣＰＵクロック生成・切替部から出力するＣＰＵクロックを分周してカメラ動作クロックを出力する分周部と、上記ＣＰＵクロック生成・切替部から出力するＣＰＵクロックで動作する携帯電話機制御部と、無線部が使用する無線周波数のチャンネル情報に基づいて、上記ＣＰＵクロック生成・切替部から出力するＣＰＵクロックを切り替えると共に、上記分周部から出力するカメラ動作クロックが当該無線チャンネルに妨害を与えないように上記ＣＰＵクロック生成・切替部から出力するＣＰＵクロックの周波数に連動させて上記分周部の分周比を変えてカメラ動作クロックの周波数を変更するカメラ動作クロック変更手段と、上記カメラ動作クロック変更手段から出力するカメラ動作クロックによって動作するカメラ部とを備えたものである。
【発明の効果】
【０００８】
本発明によるカメラ付き携帯電話機は、カメラ基準クロックを逓倍してカメラ部で使用するカメラ動作クロックを生成するクロック逓倍手段と、無線部が使用する無線周波数のチャンネル情報に基づいてクロック逓倍手段が生成するカメラ動作クロックが当該無線チャンネルに妨害を与えるか否かを判定する判定手段を有し、クロック逓倍手段で生成するカメラ動作クロックが当該無線チャンネルに妨害を与えると判定した場合は、当該無線チャンネルに妨害を与えない周波数のカメラ動作クロックに切り替えて出力するので、カメラ動作を停止させることなく無線部の受信不良を低減できる。さらに、ＣＰＵクロックを変化させないので、携帯電話機制御部の処理能力の低下を最小限に抑えることができる。
【０００９】
また、本発明によるカメラ付き携帯電話機のカメラ動作クロック変更手段は、無線部が使用する無線周波数のチャンネル情報に基づいて、分周部から出力するカメラ動作クロックが当該無線チャンネルに妨害を与えないようにＣＰＵクロック生成・切替部から出力するＣＰＵクロックの周波数に連動させて分周部の分周比を変えるので、ＣＰＵクロックの変化量を最小限に抑え、カメラ動作を停止させることなく無線部の受信不良を低減できる。
【発明を実施するための最良の形態】
【００１０】
以下、図面に基づいて本発明の一実施の形態について説明する。
なお、各図間において携、同一符号は同一あるいは相当のものを表す。
実施の形態１．
図１は、実施の形態１によるカメラ付き携帯電話機の要部の構成を示すブロック図である。
図に示すように、ＣＰＵクロック生成部２０で生成されたＣＰＵクロックは、制御部１０の分周部１１に入力されると共に、ＣＰＵ部、カメラ画像データ処理部およびメモリ部からなるＣＰＵ部・カメラ画像データ処理部・メモリ部１２へ入力される。
分周部１１は、入力されたＣＰＵクロックを所定の分周比で分周してカメラモジュール部３０で用いられるカメラ基準クロックを生成する。
また、表示部５０は、液晶ディスプレイパネル等であり、ＣＰＵ部・カメラ画像データ処理部・メモリ部１２で処理されたカメラ画像や各種データなどのモニター表示を行う。
なお、ＣＰＵ部・カメラ画像データ処理部・メモリ部１２におけるＣＰＵ部は、ＣＰＵクロック生成部２０で生成されたＣＰＵクロックによって動作し、携帯電話機全体の動作を制御する機能を有した携帯電話機制御部である。
【００１１】
カメラ基準クロックは、カメラモジュール部３０のカメラ動作クロック生成・切替部３２に入力され、カメラモジュール部３０は、入力されたカメラ基準クロックを用いて実際にカメラを動作させる時のクロックであるカメラ動作クロックを生成する。
また、カメラ動作クロック生成・切替部３２には、無線部４０が使用するチャンネルに関する情報（即ち、チャンネル情報）が入力されており、カメラ動作クロック生成・切替部３２から出力するカメラ動作クロックが当該無線チャンネルに受信不良を与える恐れのある周波数である場合には、当該無線チャンネルに受信不良を与えない周波数のカメラ動作クロックに切り替えて出力する。
【００１２】
なお、無線部４０の具体的な構成は図示していないが、無線部４０は、図示しないアンテナから受信したＲＦ（無線周波数）信号をベースバンド信号に復調して、Ｄ／Ａコンバータを介してスピーカから音声出力し、マイクから入力された音声信号をＡ／Ｄコンバータを介してベースバンド信号として入力し、当該ベースバンド信号をＲＦ信号に変調してアンテナ２から送信する。このベースバンド信号には音声信号以外にカメラで撮像した画像データ等各種デジタルデータが含まれる。
【００１３】
以下に、具体例を用いて、本実施の形態によるカメラ付き携帯電話機の動作を説明する。
例えば、１．５ＧＨｚ帯の携帯電話機の場合、無線部４０で使用される無線周波数は、１４７７ＭＨｚ〜１５０１ＭＨｚであり、この周波数の間において２５ＫＨｚの間隔でチャンネルが割り当てられており、これらのチャンネルの中には、「とまり木」と呼ばれるチャンネルが複数ある。
そして、待ち受け時には、この「とまり木」と呼ばれるチャンネルで定期的に通信を行い、実際の通話チャンネル設定を含めた制御を行っている。
【００１４】
このとまり木チャンネル自体に受信不良が発生するとシステムが成り立たないため、カメラ動作クロックとしては、とまり木チャンネルに妨害を与えない周波数を使う必要がある。
無線部４０は、このとまり木チャンネルを使って選択したチャンネルで通話を開始する。
そして、カメラ動作クロック生成・切替部３２は、無線部４０が選択したチャンネルの無線周波数に対してカメラ動作による放射が妨害を与えないように、通話が始まる前に無線部４０からのチャンネル情報（即ち、無線部４０がどのチャンネルを使用して通話するかという情報）を参照してカメラ動作クロックを切替えている。
【００１５】
即ち、図１に示したカメラ動作クロック生成・切替部３２は、分周部１１で生成されるカメラ基準クロックを逓倍してカメラ部３１で使用するカメラ動作クロックを生成するクロック逓倍手段（図示なし）と、無線部４０が使用する無線周波数のチャンネル情報に基づいて、クロック逓倍手段が生成するカメラ動作クロックが当該無線チャンネルに妨害を与えるか否かを判定する判定手段（図示なし）と、クロック逓倍手段で生成するカメラ動作クロックが当該無線チャンネルに妨害を与えないと判定手段が判定した場合は、そのまま生成されたカメラ動作クロックを出力し、クロック逓倍手段で生成するカメラ動作クロックが当該無線チャンネルに妨害を与えると判定手段が判定した場合は、当該無線チャンネルに妨害を与えない周波数のカメラ動作クロックに切り替えて出力するカメラ動作クロック切替手段（図示なし）とを有している。
【００１６】
例えば、カメラ動作クロックが１２．６ＭＨｚの場合、１２．６ＭＨｚの１１８倍の高調波成分（即ち、１４８６．８ＭＨｚの周波数成分）が無線チャンネル３９２ｃｈ（チャンネル周波数：１４８６・８ＭＨｚ）に妨害を与え、カメラ動作クロック１２．６ＭＨｚの１１９倍の高調波成分（即ち、１４９９．４ＭＨｚの周波数成分）が無線チャンネル８９６ｃｈ（チャンネル周波数１４９９・４ＭＨｚ）に妨害を与える。
そのため、カメラ動作クロック生成・切替部３２は、無線部４０からチャンネル情報を得ることによって、カメラ基準クロックを逓倍して生成されたカメラ動作クロックが、当該無線チャンネルに妨害を与える恐れのある場合には、当該無線チャンネルに妨害を与える恐れのない周波数のカメラ動作クロックに切り替えて、カメラ部３１の動作を行う。
【００１７】
例えば、無線部４０が無線チャンネル３９２ｃｈ（チャンネル周波数：１４８６・８ＭＨｚ）を使用する時は、カメラ動作クロック生成・切替部３２は、無線部４０が無線チャンネル３９２ｃｈ（チャンネル周波数：１４８６・８ＭＨｚ）を使用するというチャンネル情報に基づいて、１４８６・８ＭＨｚの高調波を発生しない周波数のカメラ動作クロックを生成し、この生成されたカメラ動作クロックに切り替えて出力する。
【００１８】
なお、ＣＰＵクロック、分周比、カメラ基準クロック、およびカメラ動作クロックには次のような組合せがある。  
ＣＰＵクロック      分周比    カメラ基準クロック  カメラ動作クロック
・３１．５MHz         ２／７      ９．０ＭＨｚ         ９．０ＭＨｚ
・    〃               〃          〃                １３．５ＭＨｚ
（9.0MHz×1.5倍）
カメラ動作クロック生成・切替部３２には、ＰＬＬを用いた周波数逓倍(例えば、１．５逓倍)手段である逓倍回路等を使用する。
【００１９】
以上説明したように、本実施の形態によるカメラ付き携帯電話機は、ＣＰＵクロック生成部２０で生成されるＣＰＵクロックを分周して、カメラ基準クロックを生成する分周部１１と、分周部１１で生成されるカメラ基準クロックを逓倍してカメラ部３１で使用するカメラ動作クロックを生成するクロック逓倍手段、無線部４０が使用する無線周波数のチャンネル情報に基づいてクロック逓倍手段が生成するカメラ動作クロックが当該無線チャンネルに妨害を与えるか否かを判定する判定手段、クロック逓倍手段で生成するカメラ動作クロックが当該無線チャンネルに妨害を与えないと判定手段が判定した場合は、生成されたカメラ動作クロックをそのまま出力し、クロック逓倍手段で生成するカメラ動作クロックが当該無線チャンネルに妨害を与えると判定手段が判定した場合は、当該無線チャンネルに妨害を与えない周波数のカメラ動作クロックに切り替えて出力するカメラ動作クロック切替手段からなるカメラ動作クロック生成・切替部３２と、カメラ動作クロック生成・切替部３２のカメラ動作クロック切替部手段から出力するカメラ動作クロックによって動作するカメラ部３１とを備えている。
その結果、カメラ動作を停止させることなく無線部の受信不良を低減できると共に、携帯電話機制御部の処理能力の低下を最小限に防ぐことができる。
【００２０】
実施の形態２．
図２は、実施の形態２によるカメラ付き携帯電話機の要部の構成を示すブロック図である。
実施の形態１によるカメラ付き携帯電話機では、カメラモジュール部３０にカメラ動作クロック生成・切替部３２を設け、無線部４０からのチャンネル情報に基づいて、カメラ動作クロック生成・切替部３２は、出力するカメラ動作クロックの周波数が当該無線チャンネルに妨害を与える恐れがある場合は、妨害を与える恐れのない周波数のカメラ動作クロックに切り替えていた。
これに対して、本実施の形態によるカメラ付き携帯電話機では、カメラモジュール部３０にカメラ動作クロック生成・切替部３２を設けず、実施の形態１におけるＣＰＵクロック生成部２０に代えて、無線部４０からのチャンネル情報（即ち、無線部４０がどのチャンネルを使用して通話するかという情報）が入力されるＣＰＵクロック生成・切替部２１を設けると共に、分周部１１にも無線部４０からのチャンネル情報が入力されていることを特徴とする。
【００２１】
ＣＰＵクロック生成部・切替部２１は、周波数の異なる複数のＣＰＵクロックを生成すると共に、無線部４０からのチャンネル情報に対応して生成したＣＰＵクロックを切り替えて出力する。
制御部１０は、ＣＰＵクロック生成部・切替部２１から出力するＣＰＵクロックを受けて動作する。
制御部１０に入力されたＣＰＵクロックは、分周部１１で分周され、カメラ動作クロックとしてカメラモジュール部３０のカメラ部３１に送られる。
また、ＣＰＵクロックは、ＣＰＵ部、カメラ画像データ処理部およびメモリ部からなるＣＰＵ部・カメラ画像データ処理部・メモリ部１２へも入力される。
このとき、ＣＰＵクロック生成部・切替部２１は、無線部４０からのチャンネル情報を受けて、適切なクロック周波数をＣＰＵクロックとして生成する。
なお、ＣＰＵ部・カメラ画像データ処理部・メモリ部１２におけるＣＰＵ部は、ＣＰＵクロック生成・切替部２１から出力するＣＰＵクロックによって動作し、携帯電話機全体の動作を制御する機能を有した携帯電話機制御部である。
【００２２】
制御部１０に入力されたＣＰＵクロックは、分周部１１で分周され、カメラ動作クロックとしてカメラモジュール部３０のカメラ部３１に送られるが、分周部１１は、無線部４０からのチャンネル情報を参照してＣＰＵクロック生成部・切替部２１からのＣＰＵクロック周波数の変化と連動して分周比を切替える。
即ち、制御部１０は、ＣＰＵクロック生成・切替部２１から出力するＣＰＵクロックを分周してカメラ動作クロックを出力する分周部１１と、無線部４０が使用する無線周波数のチャンネル情報に基づいて、ＣＰＵクロック生成・切替部２１から出力するＣＰＵクロックを切り替えると共に、分周部１１から出力するカメラ動作クロックが当該無線チャンネルに妨害を与えないようにＣＰＵクロック生成・切替部２１から出力するＣＰＵクロックの周波数に連動させて分周部１１の分周比を変えてカメラ動作クロックの周波数を変更するカメラ動作クロック変更手段（図示なし）を備えている。
これにより、ＣＰＵクロック周波数の変化量を最小限に抑えて、高調波成分が無線部４０で使用するチャンネルに妨害を与えることのない周波数のカメラ動作クロックを生成することができる。
【００２３】
例えば、ＣＰＵクロック生成部・切替部２１から出力されるＣＰＵクロック、分周部１１における分周比、および分周部１１から出力されるカメラ動作クロックには、次のような組合せがある。  
ＣＰＵクロック          分周比                カメラ動作クロック
・３１．５０ＭＨｚ        ２／５                １２．６ＭＨｚ
・２８．３５ＭＨｚ        １／２                １４．１７５ＭＨｚ
このように、本実施の形態においては、無線部４０からのチャンネル情報を参照して、ＣＰＵクロック毎に分周比を連動して変えるので、ＣＰＵクロックの変化量を最小限に抑えて、高調波成分が無線部４０で使用するチャンネルに妨害を与えることのない周波数のカメラ動作クロックを生成することができる。
【産業上の利用可能性】
【００２４】
本発明は、カメラ付き携帯電話機などのように、ノイズの影響を受けやすい無線部と、発生ノイズの大きい機能部（例えば、カメラ）とを共有する端末機器に有用である。
【図面の簡単な説明】
【００２５】
【図１】実施の形態１によるカメラ付き携帯電話機の要部の構成を示す図である。
【図２】実施の形態２によるカメラ付き携帯電話機の要部の構成を示す図である。
【符号の説明】
【００２６】
１０  制御部
１１  分周部
１２  ＣＰＵ部・カメラ画像データ処理部・メモリ部
１３  カメラＩ／Ｆ部
２０  ＣＰＵクロック生成部
２１  ＣＰＵクロック生成・切替部
３０  カメラモジュール部
３１  カメラ部
３２  カメラ動作クロック生成・切替部
４０  無線部
５０  表示部
【図１】
2005124093.tif 000003
【図２】
2005124093.tif 000004